(57)【要約】【課題】選局にかかる時間を短くする。【解決手段】放送時刻誤差検出部４８は、アナログチューナ部４４から供給される所定のチャンネルの番組（フレーム）と、アナログチューナ部４４で選局されているチャンネルに対応するチャンネルで放送され、デジタルチューナ部４６とデコード部４７を介して供給される番組（ピクチャ）を比較する。そして、放送時刻誤差検出部４８は同一のシーンであると判断されるピクチャが取得されるまでの時間を計測し、放送時刻誤差記憶部４９に記憶する。デコード部４７がデコードを開始するとき、放送時刻誤差記憶部４９に記憶されている誤差が用いられ、アナログ放送記憶部４５に記憶されているフレームで、デコード開始時に必要とされるピクチャに対応するフレームが特定され、デジタル放送用のピクチャに変換される。本発明は、テレビジョン受像機などに適用することができる。【選択図】図４
2007215068.tif 000002
【特許請求の範囲】
【請求項１】
同一の番組を異なる方式で放送する放送局を関連付けたデータを記憶する放送局記憶手段と、
第１の方式で放送する第１の放送局を選局する選局手段と、
前記第１の放送局の選局が前記選局手段に指示されたとき、その第１の放送局に関連付けられている第２の方式で放送する第２の放送局を、前記放送局記憶手段に記憶されている前記データを参照して特定する特定手段と、
前記第２の放送局からの番組のデータを記憶する番組記憶手段と、
前記第１の放送局からの番組と前記第２の放送局からの番組とで、同一のシーンを提供する時間的な誤差を記憶する誤差記憶手段と、
前記第１の選局手段により選局された前記第１の放送局からの番組のデータをデコードするのに必要なデータを、選局が開始された時点より、前記誤差記憶手段に記憶されている誤差分より前の時点で前記番組記憶手段に記憶され、前記特定手段により特定された前記第２の放送局からの番組のデータから取得する取得手段と、
前記取得手段により取得された前記データを、前記第１の方式のデータによる画像と同様の画像になるように変換する変換手段と
を備える画像処理装置。
【請求項２】
前記取得手段は、参照ピクチャとなるデータを取得する
請求項１に記載の画像処理装置。
【請求項３】
前記第１の放送局からの番組の第１のデータと前記第２の放送局からの番組の第２のデータをマッチングし、
マッチングの結果が所定のしきい値以上である場合、前記第１のデータと前記第２のデータは、同一のシーンのデータであると判断し、
同一のシーンであると判断された前記第１のデータと第２のデータが、それぞれ取得された時刻の差を、前記誤差記憶手段に記憶する
請求項１に記載の画像処理装置。
【請求項４】
前記番組記憶手段は、複数の前記第２の放送局からの番組を、前記第１の選局手段により第１の放送局が選局される前の時点から記憶する
請求項１に記載の画像処理装置。
【請求項５】
同一の番組を異なる方式で放送する放送局を関連付けたデータを管理する放送局管理ステップと、
第１の方式で放送する第１の放送局を選局する選局ステップと、
前記選局ステップの処理での前記第１の放送局の選局が指示されたとき、その第１の放送局に関連付けられている第２の方式で放送する第２の放送局を、前記放送局管理ステップで管理されている前記データを参照して特定する特定ステップと、
前記第２の放送局からの番組のデータの記憶を制御する番組記憶制御ステップと、
前記第１の放送局からの番組と前記第２の放送局からの番組とで、同一のシーンを提供する時間的な誤差の記憶を制御する誤差記憶制御ステップと、
前記第１の選局ステップにより選局された前記第１の放送局からの番組のデータをデコードするのに必要なデータを、選局が開始された時点より、前記誤差記憶制御ステップで記憶が制御された誤差分より前の時点で前記番組記憶制御ステップで記憶が制御され、前記特定ステップにより特定された前記第２の放送局からの番組のデータから取得する取得ステップと、
前記取得ステップの処理で取得された前記データを、前記第１の方式のデータによる画像と同様の画像になるように変換する変換ステップと
を含む画像処理方法。
【請求項６】
同一の番組を異なる方式で放送する放送局を関連付けたデータを管理する放送局管理ステップと、
第１の方式で放送する第１の放送局を選局する選局ステップと、
前記選局ステップの処理での前記第１の放送局の選局が指示されたとき、その第１の放送局に関連付けられている第２の方式で放送する第２の放送局を、前記放送局管理ステップで管理されている前記データを参照して特定する特定ステップと、
前記第２の放送局からの番組のデータの記憶を制御する番組記憶制御ステップと、
前記第１の放送局からの番組と前記第２の放送局からの番組とで、同一のシーンを提供する時間的な誤差の記憶を制御する誤差記憶制御ステップと、
前記第１の選局ステップにより選局された前記第１の放送局からの番組のデータをデコードするのに必要なデータを、選局が開始された時点より、前記誤差記憶制御ステップで記憶が制御された誤差分より前の時点で前記番組記憶制御ステップで記憶が制御され、前記特定ステップにより特定された前記第２の放送局からの番組のデータから取得する取得ステップと
前記取得ステップの処理で取得された前記データを、前記第１の方式のデータによる画像と同様の画像になるように変換する変換ステップと
を含む処理をコンピュータに実行させるプログラム。
【発明の詳細な説明】
【技術分野】
【０００１】
本発明は画像処理装置および方法、並びにプログラムに関し、特に、地上波デジタルテレビジョン放送で、チャンネルの切り換え時に発生する映像が映し出されない時間を短くするようにした画像処理装置および方法、並びにプログラムに関する。
【背景技術】
【０００２】
近年、テレビジョン放送は、地上波アナログ放送であったが、地上波デジタル放送に切り替えられつつある。完全にアナログ放送からデジタル放送に移行するまでは、アナログ放送とデジタル放送で、同一の内容の番組が放送される（このような放送は、サイマル放送と称されている）。
【０００３】
サイマル放送については、例えば、総務省  H15.4.6  「地上波デジタル放送局の予備免許について」に記載があるように、予備免許を与える要件として、サイマル放送の割合を６割以上にすることを条件としている。すなわち、少なくとも、６割の番組がサイマル放送されていることになる。
【０００４】
図１は、地上波デジタル放送を受信する受信装置の一例の構成を示す図である。受信装置１０は、アンテナ（antenna）１１、チューナ（tuner）部１２、およびデコード（decode）部１３から構成されている。デコード部１３は、デマルチプレクサ（demultiplexer）１４、ビデオデコーダ１５、オーディオデコーダ１６、およびリオーダ１７から構成されている。
【０００５】
アンテナ１１により受信されたデジタルテレビジョン放送の放送波は、チューナ部１２に供給される。チューナ部１２は、ユーザなどにより指示されたチャンネルを選択し、そのチャンネルに対応するデータを抽出する。抽出されるデータは、ビデオデータとオーディオデータが多重化されているデータ（トランスポートストリーム）である。
【０００６】
チューナ部１２により抽出されたデータは、デコード部１３のデマルチプレクサ１４に供給される。デマルチプレクサ１４は、供給されたデータをビデオデータとオーディオデータに分離し、ビデオデータ（ビデオトランスポートストリーム）をビデオデコーダ１５に、オーディオデータ（オーディオトランスポートストリーム）をオーディオデコーダ１６に、それぞれ供給する。
【０００７】
ビデオデコーダ１５に供給されるデータは、所定の符号化方式で符号化されている。ビデオデコーダ１５は、供給されたデータに対応する復号方式で、復号を行う。ビデオデコーダ１５により復号されたビデオデータは、リオーダ１７に供給される。ビデオデコーダ１５とリオーダ１７により行われる復号処理については、図２を参照して後述する。
【０００８】
オーディオデコーダ１６に供給されるデータは、所定の符号化方式で符号化されている。オーディオデコーダ１６は、供給されたデータに対応する復号方式で、復号を行う。オーディオデコーダ１５により復号されたオーディオデータは、図示されていない他の装置（例えば、スピーカ）に供給される。
【０００９】
図２は、ビデオデコーダ１５とリオーダ１７により行われる復号の処理について説明するための図である。地上波デジタル放送におけるビデオデータは、ＭＰＥＧ（Motion Picture Experts Group）―２方式で符号化され、復号される。ＭＰＥＧ方式では、Ｉピクチャ、Ｂピクチャ、Ｐピクチャという３種類のピクチャが規定されている。
【００１０】
Ｉピクチャは、Intra codedピクチャのことであり、イントラ（画面内）符号化の画面（フレーム）で、他の画面とは独立して符号化されるピクチャである。Ｐピクチャは、Predictive codedピクチャのことであり、前方向予測符号化画面であり、時間的に過去に位置するＩピクチャから予測符号化を行うことにより符号化されるピクチャである。Ｂピクチャは、Bidirectionally predictive codedピクチャのことであり、両方向予測符号化画面であり、時間的に前後に位置するＩピクチャまたはＰピクチャを用いて前方向、後方向、または両方向の画面から予測符号化を行うことにより符号化されるピクチャである。
【００１１】
図２において、“Ｉ”との表記はＩピクチャであることを示し、“Ｂ”との表記はＢピクチャであることを示し、“Ｐ”との表記はＰピクチャであることを示す。Ｉ１ピクチャは、画面内で独立して符号化される。Ｂ２ピクチャは、Ｉ１ピクチャとＰ３ピクチャが参照されて符号化される。Ｐ３ピクチャは、Ｉ１ピクチャが参照されて符号化される。Ｂ４ピクチャは、Ｐ３ピクチャとＰ５ピクチャが参照されて符号化される。さらに、Ｐ５ピクチャは、Ｐ３ピクチャが参照されて符号化される。
【００１２】
このように、Ｉピクチャ以外のＢピクチャやＰピクチャは、他のピクチャを参照することにより符号化される。復号も同じように、Ｉピクチャは、Ｉピクチャのデータだけで復号されるが、ＢピクチャやＰピクチャは、他のピクチャが参照されることにより復号される。
【００１３】
図３は、受信装置１０において、Ｉピクチャなどのビデオデータが到着するタイミングと、復号の開始のタイミングについて説明するための図である。ビデオデータは、上記したように、Ｉピクチャ、Ｂピクチャ、Ｐピクチャから構成されるデータとされている。そして、これらのピクチャは、所定の枚数毎にグループ化されている。そのようなグループは、ＧＯＰ（Group Of Picture）と称され、１ＧＯＰには、１枚のＩピクチャが含まれ、ＢピクチャとＰピクチャが、所定枚数だけ含まれる。
【００１４】
図３に示したように、時刻Ｔ１において、例えば、電源がオンにされたり、チャンネルの変更が指示されたりすることにより、受信が開始されたとする。時刻Ｔ１に、Ｂ２ピクチャが受信され、それ以降のピクチャが順次受信される。この場合、ＧＯＰ１に含まれるＩ１ピクチャは受信されていないことになる。よって、Ｉ１ピクチャを含むＧＯＰ１を復号することができない。換言すれば、ＧＯＰ１に含まれ、受信されたＢ２ピクチャからＢ１５ピクチャ（Ｐ４ピクチャなどのＰピクチャも含まれる）は、Ｉピクチャがないために復号することができない。
【００１５】
よって、ＧＯＰ１に含まれるＢ２ピクチャから受信が開始されても、ＧＯＰ１は復号することができず、結果として、ＧＯＰ１の次のタイミングで受信されるＧＯＰ２から復号が開始されることになる。すなわち、図３において、Ｉ１６ピクチャが受信された後の時刻Ｔ２から、復号が開始される。
【００１６】
このように、受信が開始されたタイミング（選局されたタイミング）により、復号が開始されるタイミングも異なってくる。よって、図３に示したような状況の場合、時刻Ｔ１から時刻Ｔ２までの間は、復号が行われず、ユーザに提供される画像がないことになる。このような時間を、ここでは、遅延時間と、適宜記述する。
【００１７】
ユーザに画像が提供されない時間が発生する原因は、このような復号のタイミングだけではないが、例えば、ＡＲＩＢ（Association of Radio Industries and Businesses）標準規格STD-B32に記載されている地上波デジタル放送で選局に要する処理時間の最大値に基づくと、約２３００ｍｓのうち、５００ｍｓが、このような復号のタイミングによる遅延時間とされている。
【００１８】
このような遅延時間を短くするために特許文献１には、地上波デジタル放送の選局の処理中に、選局された放送局のサイマル放送として放送されている地上波アナログ放送の番組を、ＥＰＧ（Electric Program Guide）を用いて検索し、検索された地上波アナログ放送の番組を、地上波デジタル放送の番組が再生（復号）できる状態になるまで放送することが記載されている。
【特許文献１】特開２００１―２８５７５２号公報
【発明の開示】
【発明が解決しようとする課題】
【００１９】
上記したように、地上波デジタル放送においては、選局時にユーザ側に画像（映像）が提供されない時間が存在する。その時間は、最大で２秒以上となってしまう。ユーザは、選局時に映像が表示されないと、故障したかと選局がうまく処理されていないと思い、再度同一のボタンを操作してしまう（連打してしまう）、他のチャンネルに切り替えてしまうなどの処理を行ってしまう。すなわち、遅延時間があると、ユーザに不安感を与える他、余計な操作を行わせてしまうことになる。
【００２０】
また、地上波アナログ放送と地上波デジタル放送は、サイマル放送されていても、換言すれば、同時に送信されていても、同一番組の同一のシーンが、同時刻にユーザに提供されるわけではない。具体的には、地上波デジタル放送は、送信時および受信時に地上波アナログ放送ではない処理（例えば、エンコードやデコード）が含まれるため、地上波デジタル放送の所定のシーン（シーンＡとする）の方が、地上波アナログ放送のシーンＡよりも後に受信（ユーザに提供）される。
【００２１】
すなわち、特許文献１で提案されている方法を適用した場合、ユーザに、地上波アナログ放送でのシーンＡが提供された後、地上波デジタル放送に切り替えられ、シーンＡが再度提供されるといったことが起こる。このような、同一の場面が２度もユーザに提供されることは、ユーザにとって、放送自体でシーンＡが２度放送されたと誤認したり、故障したかのような不安感を与え、不快感を与えることになりかねない。よって好ましいことではない。
【００２２】
本発明は、このような状況に鑑みてなされたものであり、参照ピクチャが取得されないことにより、上記したような、ユーザが不快感をもつような状況が発生しないようにする。
【課題を解決するための手段】
【００２３】
本発明の一側面の画像処理装置は、同一の番組を異なる方式で放送する放送局を関連付けたデータを記憶する放送局記憶手段と、第１の方式で放送する第１の放送局を選局する選局手段と、前記第１の放送局の選局が前記選局手段に指示されたとき、その第１の放送局に関連付けられている第２の方式で放送する第２の放送局を、前記放送局記憶手段に記憶されている前記データを参照して特定する特定手段と、前記第２の放送局からの番組のデータを記憶する番組記憶手段と、前記第１の放送局からの番組と前記第２の放送局からの番組とで、同一のシーンを提供する時間的な誤差を記憶する誤差記憶手段と、前記第１の選局手段により選局された前記第１の放送局からの番組を処理するのに必要なデータを、選局が開始された時点より、前記誤差記憶手段に記憶されている誤差分より前の時点で前記番組記憶手段に記憶され、前記特定手段により特定された前記第２の放送局からの番組のデータから取得する取得手段と、前記取得手段により取得された前記データを、前記第１の方式のデータによる画像と同様の画像になるように変換する変換手段とを備える。
【００２４】
前記取得手段は、参照ピクチャとなるデータを取得するようにすることができる。
【００２５】
前記第１の放送局からの番組の第１のデータと前記第２の放送局からの番組の第２のデータをマッチングし、マッチングの結果が所定のしきい値以上である場合、前記第１のデータと前記第２のデータは、同一のシーンのデータであると判断し、同一のシーンであると判断された前記第１のデータと第２のデータが、それぞれ取得された時刻の差を、前記誤差記憶手段に記憶するようにすることができる。
【００２６】
前記番組記憶手段は、複数の前記第２の放送局からの番組を、前記第１の選局手段により第１の放送局が選局される前の時点から記憶するようにすることができる。
【００２７】
本発明の一側面の画像処理方法またはプログラムは、同一の番組を異なる方式で放送する放送局を関連付けたデータを管理する放送局管理ステップと、第１の方式で放送する第１の放送局を選局する選局ステップと、前記選局ステップの処理での前記第１の放送局の選局が指示されたとき、その第１の放送局に関連付けられている第２の方式で放送する第２の放送局を、前記放送局管理ステップで管理されている前記データを参照して特定する特定ステップと、前記第２の放送局からの番組のデータの記憶を制御する番組記憶制御ステップと、前記第１の放送局からの番組と前記第２の放送局からの番組とで、同一のシーンを提供する時間的な誤差の記憶を制御する誤差記憶制御ステップと、前記第１の選局ステップにより選局された前記第１の放送局からの番組のデータをデコードするのに必要なデータを、選局が開始された時点より、前記誤差記憶制御ステップで記憶が制御された誤差分より前の時点で前記番組記憶制御ステップで記憶が制御され、前記特定ステップにより特定された前記第２の放送局からの番組のデータから取得する取得ステップと、前記取得ステップの処理で取得された前記データを、前記第１の方式のデータによる画像と同様の画像になるように変換する変換ステップとを含む。
【００２８】
本発明の一側面の画像処理装置および方法、並びにプログラムにおいては、第１の放送局が選局されたとき、その第１の放送局に対応する第２の放送局からのデータが記憶され、第１の放送局と第２の放送局とで同一のシーンが提供される時間的誤差を考慮し、第１の放送局からのデータをデコードするのに必要とされる第２の放送局からのデータが、記憶されているデータ内から選択され、その選択されたデータに基づく画像が参照ピクチャとして用いられ、第１の放送局からのデータが処理される。
【発明の効果】
【００２９】
本発明の一側面によれば、参照ピクチャが取得されないときでも、参照ピクチャが取得された時と同様の処理が行えるようにすることが可能である。
【発明を実施するための最良の形態】
【００３０】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３１】
本発明の一側面の画像処理装置（例えば、図４の受信装置３０）は、同一の番組を異なる方式で放送する放送局を関連付けたデータを記憶する放送局記憶手段（例えば、図４のサイマル放送局記憶部４２）と、第１の方式で放送する第１の放送局を選局する選局手段（例えば、図４のデジタルチューナ部４６）と、前記第１の放送局の選局が前記選局手段に指示されたとき、その第１の放送局に関連付けられている第２の方式で放送する第２の放送局を、前記放送局記憶手段に記憶されている前記データを参照して特定する特定手段（例えば、図４のサイマル放送局記憶部４２）と、前記第２の放送局からの番組のデータを記憶する番組記憶手段（例えば、図４のアナログ放送記憶部４５）と、前記第１の放送局からの番組と前記第２の放送局からの番組とで、同一のシーンを提供する時間的な誤差を記憶する誤差記憶手段（例えば、図４の放送時刻誤差記憶部４９）と、前記第１の選局手段により選局された前記第１の放送局からの番組のデータをデコードするのに必要なデータを、選局が開始された時点より、前記誤差記憶手段に記憶されている誤差分より前の時点で前記番組記憶手段に記憶され、前記特定手段により特定された前記第２の放送局からの番組のデータから取得する取得手段（例えば、図４のデコード部４７）と、前記取得手段により取得された前記データを、前記第１の方式のデータによる画像と同様の画像になるように変換する変換手段（例えば、図４の変換部５０）とを備える。
【００３２】
取得手段により取得されたデータを、第１の方式のデータによる画像と同様の画像になるように変換する変換手段（例えば、図４の変換部５０）をさらに備えるようにすることができる。
【００３３】
以下に、本発明の実施の形態について図面を参照して説明する。
【００３４】
図４は、本発明を適用した受信装置の一実施の形態の構成を示す図である。図４に示した受信装置３０は、地上波アナログテレビジョン放送による番組と地上波デジタルテレビジョン放送による番組を受信し、処理する機能を有する。以下、適宜、“地上波アナログテレビジョン放送”を、“アナログ放送”と記述し、“地上波デジタルテレビジョン放送”を、“デジタル放送”と記述する。
【００３５】
ここでは、アナログ放送とデジタル放送という２つの放送を処理する受信装置３０として説明を続けるが、受信装置３０は、異なる方式で番組を放送する２以上の放送を処理できる装置であり、例えば、テレビジョン受像機や、セットトップボックス（ＳＴＢ）、ハードディスクレコーダなどのテレビジョン放送を処理する機器に組み込まれる装置として適用することができる。
【００３６】
図４に示した受信装置３０は、操作部４１、サイマル放送局記憶部４２、制御部４３、アナログチューナ部４４、アナログ放送記憶部４５、デジタルチューナ部４６、デコード部４７、放送時刻誤差検出部４８、放送時刻誤差記憶部４９、および、変換部５０を含む構成とされている。また、受信装置３０のアナログチューナ部４４には、アナログ放送を受信するアンテナ３１が接続され、デジタルチューナ部４６には、デジタル放送を受信するアンテナ３２が接続されている。
【００３７】
受信装置３０は、デジタル放送の選局に係わる処理のときに、映像（画像）がユーザ側に提供されない時間をなくす（短くする）ための処理を行うように構成されている。また選局時に、同一のシーンが重複してユーザに提供されるといったような不都合な状況が発生しない、違和感のないチャンネルの切り換えが行われるような処理が行われるような構成とされている。
【００３８】
操作部４１は、受信装置３０と同一の筐体に組み込まれていても良いし、別体とされていても良い（俗に、リモートコントローラと呼ばれている装置とされても良い）。操作部４１は、ユーザからの指示を受信装置３０に伝えるために設けられている。ここでは、ユーザからの指示は、ユーザが所望とする番組を放送している放送局を選局させるための指示であるとして、以下の説明を続ける。
【００３９】
操作部４１からの指示は、制御部４３に供給される。制御部４３は、ユーザからの指示に基づき、受信装置３０の各部を制御するとともに（例えば、後述するように、デジタル放送のチャンネルが変更されたときの処理などを制御する）、ユーザからの指示が無いときでも所定の処理の制御を行う（例えば、後述するように、放送時刻の誤差に関する処理などの制御を行う）。
【００４０】
サイマル放送局記憶部４２は、所定の放送局のアナログ放送のチャンネル（以下、適宜、アナログ放送局と記述する）とデジタル放送のチャンネル（以下、適宜、デジタル放送局と記述する）を関連付けて記憶している。
【００４１】
サイマル放送とは、アナログ放送で放送している番組を、デジタル放送の番組としても放送していることであり、サイマル放送局とは、同一の番組をアナログ放送とデジタル放送（同一の番組を異なる方式）で放送している放送局のことである。
【００４２】
アナログチューナ部４４は、制御部４３からの指示に基づき、アナログ放送局からの番組を、受信可能な複数の放送局からの番組内から選択する。アナログチューナ部４４には、アンテナ３１が接続されており、その接続されているアンテナ３１により複数のアナログ放送局からの番組が受信され、アナログチューナ部４４に供給される構成とされている。
【００４３】
デジタルチューナ部４６にも、アンテナ３２が接続されており、複数のデジタル放送局からの番組が受信される（供給される）構成とされている。なお、図４には、以下の説明に必要とされる構成を示し、以下の説明に関わりのない部分は適宜省略してある。
【００４４】
アナログチューナ部４４により選局されたアナログ放送局による番組は、アナログ放送記憶部４５に供給され、記憶される。アナログ放送記憶部４５には、所定の時間分のアナログ放送の番組（フレーム）が記憶される。以下、アナログ放送局からの番組のデータは、フレームと記述する。アナログ放送記憶部４５に記憶されているフレームは、デコーダ部からの指示により変換部５０に供給される。
【００４５】
変換部５０は、アナログ放送記憶部４５から供給されるフレームを、デジタル放送の番組のデータ（ピクチャ）に変換し、デコーダ部４７に供給する。以下、デジタル放送局からの番組のデータは、ピクチャと記述する。このときディスプレイに供給しても良い。
【００４６】
デジタルチューナ部４６は、操作部４１からの指示に基づき、デジタル放送局からの番組を、受信可能な複数の放送局からの番組内から選択し、デコード部４７に供給する。デジタルチューナ部４６からのデータは、符号化（エンコード）されているため、デコード部４７は、供給されたデータを復号（デコード）する。デコード部４７によりデコードされたデータ（ピクチャ）は、図示されていないディスプレイなどに供給される。
【００４７】
放送時刻誤差検出部４８には、アナログチューナ部４４からの番組（フレーム）と、デコード部４７によりデコードされたピクチャが供給される。詳細は後述するが、放送時刻誤差検出部４８は、供給されたフレームとピクチャから、アナログ放送とデジタル放送で、同一のシーンが放送されるときの時間的な誤差（差分）を検出し、その検出した誤差を、放送時刻誤差記憶部４９に供給する。
【００４８】
放送時刻誤差記憶部４９は、記憶している誤差を、制御部４３からの指示によりデコード部４７に供給する。
【００４９】
図５は、デコード部４７の内部構成例を示す図である。デコード部４７は、逆量子化部６１、逆ＤＣＴ（Discrete Cosine Transform）部６２、加算部６３、および参照画像記憶部６４を含む構成とされている。逆量子化部６１には、デジタルチューナ部４６からのデータが供給される。供給されるデータは、送信側でエンコードされたデータであるが、そのエンコードは、離散コサイン変換（ＤＣＴ）や量子化が行われることにより実行される。
【００５０】
離散コサイン変換は、例えば、動き補償された画像と処理対象とされる画像との差分が、８×８画素のブロックサイズで、２次元離散コサイン変換することにより行われる。離散コサイン変換されることにより生成されたＤＣＴ変換係数が、マトリックステーブルなどが用いられて量子化される。
【００５１】
逆量子化部６１は、エンコード側の量子化処理の逆の処理を実行することにより、供給されたデータから、ＤＣＴ変換係数を生成する。生成されたＤＣＴ変換係数は、逆ＤＣＴ部６２に供給される。逆ＤＣＴ部６２は、エンコード側のＤＣＴ変換処理の逆の処理を実行することにより、供給されたＤＣＴ変換係数から画素値（輝度や色差）を算出する。算出された画素値は、加算部６３に供給される。
【００５２】
加算部６３に供給される画素値は、他のピクチャとの差分値である。図２を参照して説明したように、例えば、Ｐ３ピクチャに関するデータは、Ｉ１ピクチャとの差分値であり、Ｐ３ピクチャをデコードするためには、Ｉ１ピクチャのデータに、Ｉ１ピクチャとの差分値を加算する必要がある。そこで、加算部６３は、参照画像記憶部６４に記憶されている参照画像（既にデコードされているピクチャ）に、逆ＤＣＴ部６２からの差分値を加算することにより、処理対象とされているピクチャの画素値を生成する。
【００５３】
加算部６３からの出力は、図示されていないディスプレイなどに出力される。また、加算部６３からの出力は、デコードが終了したピクチャのデータとして、参照画像記憶部６４に記憶される。さらに、加算部６３からの出力は変換部５０にも供給される。
【００５４】
このような構成を有する受信装置３０の動作について説明する。受信装置３０は、デジタル放送の放送局が選局された場合、その選局の処理に係る時間（デコードを開始するまでに必要とされるデータが取得され、ユーザに画像が提供されるまでの時間）が、短くなるように処理を行うとともに、選局時にユーザに違和感などを与えないチャンネルの切り換えが行えるように処理を行う。
【００５５】
図２や図３を参照して説明したように、例えば、ＭＰＥＧ２でエンコードされたデータをデコードする場合、ＧＯＰに含まれるＩピクチャが取得されていなければ、そのＧＯＰに含まれるピクチャをデコードすることはできない。よって、そのようなデコードの処理を開始できない時間があると、ユーザ側に画像を提供できない時間が発生する（長くなる）ことになる。そのような時間が短くなるような処理が受信装置３０において実行される。
【００５６】
図６のフローチャートを参照し、受信装置３０の動作について説明する。図６のフローチャートの処理は、ユーザによりデジタル放送局の選局が行われたときに実行される。
【００５７】
ステップＳ１１において、ユーザにより指示されたデジタル放送局に対応するアナログ放送局が特定される。操作部４１が操作されると、操作部４１から、制御部４３に対して、ユーザからの指示を表す信号が供給される。制御部４３は、供給された信号を解析し、この場合、指示されたデジタル放送局を特定し、特定された放送局を選局させるための信号をデジタルチューナ部４６とアナログチューナ部４４に供給する。アナログチューナ部４４は、サイマル放送局記憶部５２を参照し、選局対象とされたデジタル放送局に対応するアナログ放送局を特定する。
【００５８】
このような処理を実行するために、サイマル放送局記憶部４２は、デジタル放送局とアナログ放送局を対応付けたテーブルなどを記憶している。ここでは、テーブルを記憶しているとして説明を続けるが、テーブル以外の形式で、デジタル放送局とアナログ放送局との関係が記憶（管理）されるようにしても良い。そのようなテーブルは、受信装置３０が製造される段階で、サイマル放送局記憶部４２に記憶されるようにしても良いし、ユーザ側で実際に受信装置３０が使用されるときに、取得され記憶されるようにしても良い。
【００５９】
ユーザ側で実際に受信装置３０が使用されるときにテーブルが取得されるようにした場合、例えば、アナログ放送やデジタル放送で放送されるデータに、テーブルも含まれるようにし（例えば、ＥＰＧのデータと同じような形式で、番組などの本来の放送に含まれるようにし）、その放送されたテーブルが、受信装置３０で受信され、サイマル放送局記憶部４２に記憶されるようにしても良い。
【００６０】
または、例えば、アナログチューナ部４４により選局された放送局からの所定の番組の１フレームと、デコード部４７によりデコードされたピクチャが比較され、同一と判断されるフレームとピクチャがあった放送局同士が放送時刻誤差検出部で関連付けられることにより、テーブルが作成され、サイマル放送局記憶部４２に記憶されるようにしても良い。
【００６１】
または、ＥＰＧを参照し、同一の番組を放送している放送局同士（テキスト検索などで同一の番組名を放送している放送局同士）を検索し、テーブルが作成されるようにしても良い。さらには、ユーザにより設定される仕組みを設けても良い。
【００６２】
または、インターネットなどのネットワークを介して取得されるようにしても良い。また、テーブルを作成するために必要なＥＰＧなどのデータが、ネットワークを介して取得されるようにしても良い。
【００６３】
このように、サイマル放送局記憶部４２には、アナログ放送局とデジタル放送局とが関連付けられたテーブルが記憶されており（すなわち、サイマル放送を行っている放送局のデータが記憶されており）、その記憶されているテーブルが、アナログチューナ部４４により参照されることにより、デジタル放送局に対応するアナログ放送局が特定される。
【００６４】
ステップＳ１２において、アナログチューナ部４４は、サイマル放送局記憶部４２に記憶されているテーブルを参照して特定したアナログ放送局を選局し、選局されたアナログ放送局による番組（フレーム）を、アナログ放送記憶部４５に記憶させる。このようにして、所定の時間分のアナログ放送のフレームが、アナログ放送記憶部４５に記憶される。
【００６５】
アナログ放送のフレームは、アナログ放送記憶部４５に記憶されるが、その記憶は、所定の時間分のフレームを全て記憶するようにしても良いし、例えば、２フレーム毎に１フレームを記憶するといったようにしても良い。また、変化の少ない映像であると判断できるときには、代表となるフレームが選択的に記憶されるようにしても良い。
【００６６】
ステップＳ１３において、デジタルチューナ部４６は、制御部４３からの信号が示すデジタル放送局を選局する。
【００６７】
なお、デジタルチューナ部４６における処理と、アナログチューナ部４４における処理は、並列的に行われる。すなわち、図６のフローチャートにおいては、説明の都合上、時系列的に処理が実行されるように記載したが、ステップＳ１１やステップＳ１２の処理が、アナログチューナ部４４などで実行されていると共に、ステップＳ１３以降のデジタルチューナ部４６などにおける処理も実行される。
【００６８】
ステップＳ１４において、デコード部４７は、デコード対象となるピクチャは、参照ピクチャのないピクチャであるか否かを判断する。参照ピクチャのないピクチャとは、他のピクチャを参照しなくても復号可能なピクチャのことであり、ＭＰＥＧ方式の復号の場合、Ｉピクチャのことである。
【００６９】
よって、ステップＳ１４における処理を換言するならば、デコード部４７でデコードの対象となっているピクチャ（デジタルチューナ部４６から供給される、選局されたデジタル放送の番組のデータ）が、Ｉピクチャであるか否かが判断される処理である。
【００７０】
ステップＳ１４において、デコード部４７でデコードの対象となっているピクチャが、参照ピクチャのないピクチャ（Ｉピクチャ）であると判断された場合、ステップＳ２１に処理が進められる。デコード対象となっているピクチャがＩピクチャであれば、そのピクチャのみでデコードを開始できる状態であるので、ステップＳ２１において、デコードを開始される。
【００７１】
一方、ステップＳ１４において、デコード部４７でデコードの対象となっているピクチャが参照ピクチャのないピクチャ（Ｉピクチャ）ではないと判断された場合、換言すれば、この場合、ＢピクチャまたはＰピクチャであると判断された場合、ステップＳ１５に処理が進められる。
【００７２】
ステップＳ１５において、制御部４３は、デジタル放送に一致するアナログ放送の番組があるか否かを判断する。制御部４３は、ステップＳ１５における判断を、例えば、ＥＰＧを確認することにより行う。
【００７３】
例えば、制御部４３は、アナログチューナ部４４により選局されているアナログ放送局で放送されている番組の番組名をＥＰＧから読み出し、同様に、デジタルチューナ部４６により選局されているデジタル放送局で放送されている番組の番組名をＥＰＧから読み出し、同一の番組名であるか否かを判断することにより、ステップＳ１４における判断を行う。なお、同一の番組名であるか否かの判断は、完全に番組名が一致するか否かを判断するというような厳密な判断は、行われなくても良い（精度は低くても良い）。これは、後段の処理で、仮に、このステップＳ１５における判断が間違っていたとしても、その間違いをチェックできる機能を、本発明は有しているからである。
【００７４】
ステップＳ１５において、デジタル放送の番組に一致するアナログ放送の番組はないと判断された場合、ステップＳ１６に処理が進められる。ステップＳ１６において、参照ピクチャがないピクチャ、すなわちこの場合、Ｉピクチャの受信がされるまで、処理が待機状態にされる。そして、Ｉピクチャが受信されると、ステップＳ２１に処理が進められ、デコードが開始される。
【００７５】
一方、ステップＳ１５において、デジタル放送の番組に一致するアナログ放送の番組があると判断された場合、すなわち、サイマル放送がされていると判断された場合、制御部４３から、そのような判断結果がデコード部４７に伝えられ、ステップＳ１７に処理が進められる。ステップＳ１７において、デコード情報が取得される。デコード部４７は、デジタルチューナ部４６（図４）から供給されるピクチャ（この場合、ＢピクチャまたはＰピクチャである）を、デコードする際に必要となるデコード情報を取得する。デコード情報は、以前選局した際のＭＰＥＧデータに含まれるシーケンスヘッダを保存しておいた情報や、供給されたピクチャのブロック数をカウントするなどして取得される。
【００７６】
ステップＳ１８において、誤差が取得される。デコード部４７は、放送時刻誤差記憶部４９から誤差を取得する。取得される誤差とは、同一のシーンがアナログ放送で放送されてから、何秒後にデジタル放送で放送されるかを示す値である。
【００７７】
一般的に、アナログ放送とデジタル放送で、同一のシーンを同タイミングで放送しても、ユーザ側にそのシーンが提供されるのは、デジタル放送の方が、アナログ放送よりも遅いタイミングとなる。デジタル放送は、例えば、送信側でエンコードの処理が行われ、受信側でデコードの処理が行われるといったアナログ放送とは異なる処理が含まれるため、その分だけ、アナログ放送より処理時間がかかり、結果として、タイミングにずれ（誤差）が生じてしまう。
【００７８】
そのような誤差は、放送時刻誤差検出部４８により検出され（この検出に係わる処理については、図８のフローチャートを参照して後述する）、放送時刻誤差記憶部４９に記憶されている。ステップＳ１８においては、放送時刻誤差記憶部４９から、誤差が取得される。
【００７９】
ステップＳ１９において、ピクチャの対象となるフレームが特定される。デコード部４７は、アナログ放送記憶部４５に記憶されているフレームのうち、ＩピクチャやＰピクチャといった参照ピクチャとなるフレームを特定する。例えば、図３を参照するに、Ｂ２ピクチャから受信が開始された場合、アナログ放送記憶部４５に記憶されているフレームからＩ１ピクチャおよびＰ４ピクチャとなるフレームが特定される。
【００８０】
この特定は、ステップＳ１８において取得された誤差を基準として行われる。すなわち、処理が行われている時刻より、必要とされるピクチャまでの時間と誤差を加算した時間分だけ前の時刻のフレームが、ピクチャの対象となるフレームとして特定される。図７を参照し、このことについて説明を加える。
【００８１】
図７の上側に示したのは、アナログ放送におけるフレームを表し、図７の下側に示したのは、デジタル放送におけるピクチャを表している。時刻ｔ１において、ユーザによりデジタル放送局の選局の指示が出されると、時刻ｔ２において、アナログ放送の受信が開始される。すなわち、時刻ｔ１から時刻ｔ２の間で、操作部４１から信号を基に、サイマル放送局記憶部４２において、サイマル放送局記憶部４２が保持しているテーブルに基づき、デジタル放送局に対応するアナログ放送局が特定され、その特定されたアナログ放送局が、アナログチューナ部４４により選局され、アナログ放送記憶部４５にフレームの記憶が開始される。なお、ここでは、テーブルに基づきデジタル放送局に対応するアナログ放送局が特定されるとして説明を続けるが、テーブルに基づく方法の他の方法（具体的な例は、後述する）で行われるようにしてもよい。
【００８２】
アナログ放送のフレームは、時刻ｔ２以降、上述したような処理が開始されることによりフレームＡ４から順に、アナログ放送記憶部４５に記憶される。
【００８３】
デジタルチューナ部４６による処理（デコード部４７による処理）は、時刻ｔ３から開始される。時刻ｔ３からデジタルチューナ部４６が、ユーザにより指示されたデジタル放送局を選局し、その選局したデジタル放送局からの番組を受信する。そして、ピクチャＤ５から順に、デコード部４７にピクチャが供給される。
【００８４】
デコード部４７は、供給されるピクチャＤ５が、Ｉピクチャでなければ、デコードを開始することができない。図７に示したように、ピクチャＤ５は、ピクチャＤ４を参照してデコードされるピクチャであるとする（図７中、ピクチャＤ５からピクチャＤ４への矢印が参照関係を表しているとする）。
【００８５】
図７中、点線の矢印で結んだフレームとピクチャは、同一のシーンであることを示している。例えば、フレームＡ３とピクチャＤ３は、同一のシーン（画）である。また、例えば、フレームＡ７とピクチャＤ７は、同一のシーンである。フレームＡ７が受信されてから、ピクチャＤ７が受信されるまでの時間が、放送時刻誤差とされている。すなわち、フレームＡ７とピクチャＤ７という同一のシーンが処理される時間差が、放送時刻誤差である。
【００８６】
時刻ｔ３において、ピクチャＤ５が受信され、デコードが開始されるが、ピクチャＤ５は、ピクチャＤ４を参照することによりデコードされるため、ピクチャＤ４が取得されなければ、ピクチャＤ５をデコードすることができない。そこで、デジタル放送のピクチャＤ４と同一のシーンである、アナログ放送のフレームＡ４が、ピクチャに変換されるフレームとして特定される。
【００８７】
このような場合、ピクチャＤ４より放送時刻誤差分だけ前の時刻に受信（処理）されたフレームが、フレームＡ４と特定される。このように、必要とされるピクチャより放送時刻誤差分だけ前の時刻に取得されたアナログ放送のフレームが、ピクチャの対象となるフレームとして特定される。
【００８８】
ステップＳ２０において、ステップＳ１９において特定されたフレームがピクチャに変換される。すなわち、アナログ放送のフレームが、デジタル放送のピクチャに変換部５０により変換される。
【００８９】
例えば、ＳＤ画像をＨＤ画像に変換するために画素の補間が行われる。また、アナログ放送とデジタル放送とでは、アスペクト比が異なる場合があるため、アナログ放送ではデジタル放送の映像の左右両脇を切り取ったり、上下両側にブランクの帯を付加したりしてアスペクト比を調整するなどの処理が行われる。このような変換の逆変換として、左右両脇が切り取られた映像はそのアスペクト比としたり、上下両側にブランクの帯が付加された映像は、ブランクの帯を取り除くなどするすることにより、アナログ放送の番組を疑似的にデジタル放送の番組として利用しても、ユーザ側に違和感を与えるようなことなく、映像を提供することが可能となる。
【００９０】
デコード部４７は、ステップＳ２１において、デコードを開始する。デコード部４７は、ＢピクチャやＰピクチャしか受信されていない状態であっても、変換部５０により変換されたピクチャが供給され、そのピクチャは参照ピクチャであるＩピクチャやＰピクチャに相当するピクチャであるため、その参照ピクチャに相当するピクチャを参照ピクチャとして代わりに用いることにより、受信されているＢピクチャやＰピクチャのデコードを行うことが可能である。
【００９１】
このように処理が行われることにより、従来のように、参照先ピクチャが受信できなかったために、受信されたＢピクチャやＰピクチャがデコードできないといった不都合な状態が発生することを防ぐことが可能となる。よって、デジタル放送時の選局に係わる処理の間に、ユーザに画像が提供されないという不都合な時間を短くすることが可能となる。
【００９２】
ところで、デコード部４７（図５）がデコードを行う際、逆量子化部６１で逆量子化の処理を実行するときに必要となる量子化マトリックス（量子化の情報）などのデコード情報が必要である。量子化に関する情報や画像サイズなどの情報は、Ｉピクチャの前に存在する（受信される）シーケンスヘッダに記載されている。
【００９３】
Ｉピクチャが取得できないときには、シーケンスヘッダも取得できないことになる。シーケンスヘッダが取得できないときには、そのシーケンスヘッダに含まれる量子化情報なども取得できないことになるため、逆量子化部６１（図５）は、量子化マトリックスとしてデフォルト値を仮定（設定）して、そのデフォルト値で逆量子化の処理を行う。
【００９４】
しかしながら、その設定されたデフォルト値が本来設定されるべき値と異なってしまったような場合（仮定が間違っていたような場合）、正しく逆量子化の処理が行えないことになり、結果として、ユーザに不適切な画像を提供してしまうことになる。
【００９５】
本実施の形態においては、上記したように、参照ピクチャが取得できないような場合でも、参照ピクチャに相当するピクチャを、対応するアナログ放送の番組から取得でき、その取得されたアナログ放送からの参照ピクチャを用いて、デジタル放送から取得されたＢピクチャやＰピクチャが処理される。しかしながら、上記したように、シーケンスヘッダが取得されないときには、誤った量子化の情報で逆量子化の処理が実行される可能性がある。
【００９６】
そのような誤った量子化の情報で逆量子化されてしまうようなことも、本実施の形態においては、防ぐことが可能である。すなわち、変換部５０（図５）は、デフォルト値でデコードされたデータ（加算部６３から出力されたデータ）と、アナログ放送記憶部４５から読み出されるデータを比較することにより、正しいデコードが行われているか否かを判断する。
【００９７】
例えば、間違ったデフォルト値でデコードがされれば、加算部６３から出力されるデータと、アナログ放送記憶部４５から読み出されるデータは異なっているため、そのようなときには、間違ったデフォルト値でデコードされたと判断することができる。間違ったデフォルト値でデコードされたと判断されるときには、正しい値が推測される。変換部５０は、加算部６３からのデータが、アナログ放送記憶部４５から読み出されるデータと一致する（近い値になる）ような値を推測し、その推測結果を、逆量子化部６１に供給する。
【００９８】
このような処理は、例えば、ステップＳ２０において、フレームがピクチャに変換されるときの処理として実行される。
【００９９】
このように、本実施の形態においては、仮に誤った情報でデコードされてしまっても、訂正することができるため、ユーザに適切でないピクチャを提供してしまうような確率を低減させることが可能となる。このような訂正は、画面サイズなどの他のデコード情報のほか、サイマル放送か否かの判断（ステップＳ１５の判断）の訂正なども含まれる。
【０１００】
次に、ステップＳ１８で取得される誤差（放送時刻誤差）の取得方法について説明を加える。放送時刻誤差は、放送時刻誤差検出部４８（図４）により検出され、放送時刻誤差記憶部４９に記憶される。放送時刻誤差検出部４８による誤差の検出について、図８のフローチャートを参照して説明する。
【０１０１】
ステップＳ４１において、放送時刻誤差検出部４８（図４）は、アナログチューナ部４４より、フレームを取得する。放送時刻誤差検出部４８は、誤差を検出するアナログ放送局とデジタル放送局を決定する。例えば、周期的に、誤差を検出するようにし、誤差を検出する周期になったときに、サイマル放送局記憶部４２に記憶されているテーブルの一番上の放送局から処理が順に行われるよう設定しておく。
【０１０２】
また、処理が開始される（フレームが取得される）とき、ＥＰＧなどが参照され、アナログ放送とデジタル放送で同一の番組が放送されているか否かが判断され、同一の番組が放送されていると判断されたときに、フレームが取得されるようにしても良い。これは、後述するように、アナログ放送とデジタル放送で、同一のシーンを検出することにより誤差を取得するため、同一のシーンが放送されている必要性があり、同一の番組が放送されている必要があるからである。
【０１０３】
ステップＳ４１において、フレームが取得されるとともに、ステップＳ４２において、時間の計測が開始される。ステップＳ４３において、アナログチューナ部４４により選局されているアナログ放送局に対応するデジタル放送局に、デジタルチューナ部４６のチャンネルが選局され、ピクチャが取得される。放送時刻誤差検出部４８により取得されるピクチャは、デコード部４７によりデコードされたピクチャである。
【０１０４】
このようにして、放送時刻誤差検出部４８は、アナログチューナ部４４よりフレームを取得し、デコード部４７よりピクチャを取得する。そして、放送時刻誤差検出部４８は、ステップＳ４４において、取得したフレームとピクチャを比較する。この比較の結果、ステップＳ４５において、同一のシーンであるか否かが判断される。
【０１０５】
この比較と判断は、例えば、マッチング処理により行われる。マッチングする部分は、フレームとピクチャの全体か、または一部分が用いられる。一部分が用いられる場合、中央部分を用いるのが好ましいと考えられる。上記したように、アナログ放送とデジタル放送とでは、アスペクト比が異なるため、映像の左右や上下が切り取られたり、帯が付加されたりする可能性があるので、そのような加工が施される可能性のない中央部分を、マッチングの処理に用いることは好ましい形態であると考えられる。
【０１０６】
マッチングは、例えば、フレームとピクチャの中央部分の所定の範囲内の画素同士を比較し、一致する画素の割合を算出することにより行われるようにしても良い。この割合が、しきい値として設定されている値よりも大きければ、同一のシーンであると判断されるように設定される。
【０１０７】
このような方法により、同一のシーンであるか否かが判断される。ステップＳ４５において、同一のシーンと判断できるか否かが判断され、同一のシーンではないと判断された場合、ステップＳ４３に処理が戻され、それ以降の処理が繰り返される。すなわち、ステップＳ４３に処理が戻されることにより、新たなピクチャが取得され、そのピクチャと既に取得されているフレームとが比較され、同一のシーンであるか否かが判断される。
【０１０８】
上述したように、デジタル放送の方が、アナログ放送よりも、同一のシーンが後に処理されるので、アナログ放送の１シーン（フレーム）を固定し、そのシーンと同一のシーンを、デジタル放送から検出するような処理が行われる。
【０１０９】
一方、ステップＳ４５において、取得されたフレームとピクチャが比較された結果、同一のシーンと判断できると判断された場合、ステップＳ４６に処理が進められる。ステップＳ４６において、時間の計測が停止され、その時点での時間（フレームが取得されてから、同一のシーンであると判断されるピクチャが取得されるまでの時間）が、放送時刻誤差として設定される。その設定された誤差は、デジタル放送局と対応付けられて、放送時刻誤差記憶部４９に記憶される。
【０１１０】
また、輝度や色彩などの特徴量や音声の強弱や周波数などの特徴量の時間的な変化を比較し、放送時刻誤差を検出しても良い。
【０１１１】
このような処理が、デジタル放送局毎に行われる。また、このような処理は、例えば、ユーザが受信装置３０を利用していないとき（テレビジョン放送を視聴していないとき）に実行されるように設定しておけば、ユーザの利用に影響を与えることなく行うことが可能である。
【０１１２】
なお、上述したようにデコード部４７は、Ｉピクチャを受信していないとデコードを行うことができない（図６のフローチャートの処理は、図８のフローチャートの処理が実行され、誤差が取得された後に行われる処理であるため、誤差が取得される段階では、デコード部４７は、Ｉピクチャを取得しない限り、デコードを開始することができない）。
【０１１３】
このようなことを考慮し、図８に示したフローチャートの処理は、デコードが開始できる状態、すなわち、Ｉピクチャを取得した後で、デコード部４７がデコードを開始し、継続的にデコードを行える状態になった後に、ステップＳ４１以降の処理が行われるようにしても良い。
【０１１４】
このようにして、放送時刻誤差が取得される。そして、この取得された放送時刻誤差が利用されて、デジタル放送局の選局時の処理が上述したように実行される。
【０１１５】
ところで、図７に示したようなタイミングであれば、アナログ放送のフレームを用いてデジタル放送のピクチャを生成することができる。すなわち、デジタルチューナ部４６（図４）からの出力（時刻ｔ３）と、アナログチューナ部４４からの出力（時刻ｔ２）との間の時間が、放送時刻誤差（この場合、約３フレーム分の時間）と参照先ピクチャ（この場合、ピクチャＤ４）までの時間的距離（この場合、Ｄ４とＤ５の距離）の和よりも大きければ、アナログ放送から参照先ピクチャの代用画像（この場合、フレームＡ４）を取得することができる。
【０１１６】
しかしながら、図９に示すような状態の場合、換言すれば、図７に示した状態とは異なり、アナログチューナ部４４からの出力のタイミングが、フレームＡ５が取得されるタイミングであるような場合、上記した条件が満たされないため、参照ピクチャの代用画像を取得することができない。
【０１１７】
図９を参照するに、ピクチャＤ４の代用画像は、フレームＡ４であるが、アナログチューナ出力開始時刻ｔ２以降には、フレームＡ５が受信され、フレームＡ４は、受信されていない状態である。よって、このような状況のときには、フレームＡ４を取得することができない。
【０１１８】
このような状況でも、代用画像が取得できるようにするために、受信装置３０のアナログチューナ部４４とアナログ放送記憶部４５を、図１０のような構成にしても良い。図１０に示したアナログチューナ部４４は、アナログチューナ部４４−１乃至５３−ＮというＮ個のチューナ部から構成されている。また同様に、アナログ放送記憶部４５は、アナログ放送記憶部４５―１乃至５４−ＮというＮ個の記憶部から構成されている。
【０１１９】
このように、複数のチューナ部と記憶部を設けることにより、代用画像が取得できないような状況が発生することを防ぐようにする。すなわち、図１０に示したように、複数のアナログチューナ部４４−１乃至５３−Ｎを備えるようにすれば、デジタル放送局が選局される前の時点から、アナログ放送を受信することが可能となる。
【０１２０】
例えば、想定されるアナログ放送局の数だけ、アナログチューナ部４４を設けるようにすれば、常に、アナログ放送を受信しておくことが可能となり、常に受信していれば、代用画像も必ず取得できるようにすることが可能となる。また、想定されるアナログ放送局の数だけアナログチューナ部４４を設けなくても（仮に、２つのアナログチューナ部４４−１とアナログチューナ部４４−２だけが設けられるようにしても）、１つのアナログチューナ部４４が設けられている場合よりも、代用画像を取得できないような状況が発生する可能性を低くすることが可能となる。
【０１２１】
なお、アナログチューナ部４４−１乃至５３−Ｎの全てを、受信装置３０に組み込まなくても良い。近年、家庭内ネットワークなどが普及しつつあり、そのようなネットワークで受信装置３０と接続され、アナログ放送を受信する機能を有する装置（例えば、ＤＶＤレコーダやＳＴＢなど）が存在する。アナログチューナ部４４を構成するチューナ部として、そのような装置を利用することも可能である。
【０１２２】
また、ネットワークとして、ＵＳＢ接続のもの、ＩＥＥＥ８０２．１１ｇなどの無線ＬＡＮ、イーサネット(登録商標)、ＨＤＭＩ（High-Definition Multimedia Interface）などにより構成されるものを用いることも可能である。また、デジタルチューナ部４６（図４）も、ネットワークを介して受信装置３０に接続される装置を適切な著作権保護対応を図ることによって用いることも可能である。
【０１２３】
アナログチューナ部４４を構成するチューナ部の数に応じて、各アナログチューナ部４４−１乃至５３−Ｎにより受信されたアナログ放送の番組を記憶するアナログ放送記憶部４５―１乃至５４−Ｎも必要とされるが、この記憶部は、複数設けるのではなく、ハードディスクやメモリなどの１つの記録媒体を共用するようにしても良い。さらに、サイマル放送局記憶部４２など、情報を記憶する部分とも共用することが可能である。
【０１２４】
このように、デジタル放送局の選局時に、アナログ放送における画像を代用画像として用いることにより、選局時の時間を短くすることが可能となる。このことについて、図１１と図１２を参照して説明を加える。
【０１２５】
図１１に示したように、ピクチャＢ２から受信が開始される状況のとき、従来なら、Ｉ１ピクチャが受信されていないために、ＧＯＰ１を構成する各ピクチャをデコードすることができず、Ｉ１６ピクチャが受信された後にデコードが開始される。しかしながら、本実施の形態によれば、Ｉ１ピクチャは、代用画像としてアナログ放送から取得することができ、その結果、ＧＯＰ１を構成する各ピクチャをデコードすることが可能となる。そして、デコードの開始のタイミングは、Ｂ２ピクチャを受信した時刻Ｔ２以降から可能となる。
【０１２６】
このように、ＧＯＰ１からデコードを開始することができ、従来のデコード開始時刻よりも、早い時刻にデコードを開始することが可能となる。
【０１２７】
さらに図１２を参照して説明を加えるに、選局の処理を完了するまでに必要とされる時間は、フロントエンド処理、ビデオデコード処理、リオーダ処理、および、その他の処理がある。このうち、本発明を適用することにより、ビデオデコード処理に係る時間の最悪値を短くすることが可能である。よって、図１２に示したように、従来の方法と比べて、本発明の方法の方が、選局の完了までに要する全体の時間の最悪値も短くすることが可能となる。
【０１２８】
なお、ピクチャとして代用した代用画像（フレーム）が、正しい代用であったか否かを判断する機能を設け、放送時刻誤差を修正したり、変換方法が正しかったか否かを検証したりするようにしても良い。
【０１２９】
その他に、例えば、ＥＰＧに掲載されている放送時間が変更されたような場合であっても、対応することが可能である。
【０１３０】
なお、上述した実施の形態においては、アナログ放送とデジタル放送を例にあげて説明したが、アナログ放送とデジタル放送は、地上波に限らず、衛星テレビジョン放送やケーブルテレビジョン放送などでも良い。
【０１３１】
すなわち、上述した実施の形態においては、デジタル放送局という第１の放送局とアナログ放送局という第２の放送局が存在し、第１の放送局と第２の放送局は、同一の番組を異なる方式（デジタル方式とアナログ方式）とで放送する放送局同士（サイマル放送する放送局同士）であるとして説明した。さらに、第３の放送局や第４の放送局といった異なる方式（または異なる経路（衛星とケーブルなど）でも良い）を、サイマル放送局記憶部４２に、第１の放送局や第２の放送局と関連付けた状態で記憶し、上述したような処理が実施されるようにすることも可能である。すなわち、本発明は２つの放送局だけに適用範囲が限定されるわけではない。
【０１３２】
図１３は、上述した一連の処理をプログラムにより実行するパーソナルコンピュータの構成の例を示すブロック図である。ＣＰＵ（Central Processing Unit）２０１は、ＲＯＭ（Read Only Memory）２０２、または記憶部２０８に記憶されているプログラムに従って各種の処理を実行する。ＲＡＭ（Random Access Memory）２０３には、ＣＰＵ２０１が実行するプログラムやデータなどが適宜記憶される。これらのＣＰＵ２０１、ＲＯＭ２０２、およびＲＡＭ２０３は、バス２０４により相互に接続されている。
【０１３３】
ＣＰＵ２０１にはまた、バス２０４を介して入出力インターフェース２０５が接続されている。入出力インターフェース２０５には、キーボード、マウス、マイクロホンなどよりなる入力部２０６、ディスプレイ、スピーカなどよりなる出力部２０７が接続されている。ＣＰＵ２０１は、入力部２０６から入力される指令に対応して各種の処理を実行する。そして、ＣＰＵ２０１は、処理の結果を出力部２０７に出力する。
【０１３４】
入出力インターフェース２０５に接続されている記憶部２０８は、例えばハードディスクからなり、ＣＰＵ２０１が実行するプログラムや各種のデータを記憶する。通信部２０９は、インターネットやローカルエリアネットワークなどのネットワークを介して外部の装置と通信する。
【０１３５】
また、通信部２０９を介してプログラムを取得し、記憶部２０８に記憶してもよい。
【０１３６】
入出力インターフェース２０５に接続されているドライブ２１０は、磁気ディスク、光ディスク、光磁気ディスク、あるいは半導体メモリなどのリムーバブルメディア２１１が装着されたとき、それらを駆動し、そこに記録されているプログラムやデータなどを取得する。取得されたプログラムやデータは、必要に応じて記憶部２０８に転送され、記憶される。
【０１３７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０１３８】
コンピュータにインストールされ、コンピュータによって実行可能な状態とされるプログラムを格納するプログラム格納媒体は、図１３に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリなどよりなるパッケージメディアであるリムーバブルメディア２１１、または、プログラムが一時的もしくは永続的に格納されるＲＯＭ２０２や、記憶部２０８を構成するハードディスクなどにより構成される。プログラム格納媒体へのプログラムの格納は、必要に応じてルータ、モデムなどのインターフェースである通信部２０９を介して、ローカルエリアネットワーク、インターネット、デジタル衛星放送といった、有線または無線の通信媒体を利用して行われる。
【０１３９】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１４０】
また、本明細書において、システムとは、複数の装置により構成される装置全体を表すものである。
【０１４１】
なお、本発明の実施の形態は、上述した実施の形態に限定されるものではなく、本発明の要旨を逸脱しない範囲において種々の変更が可能である。
【図面の簡単な説明】
【０１４２】
【図１】従来の受信装置の一例の構成を示す図である。
【図２】符号化について説明する図である。
【図３】復号のタイミングについて説明する図である。
【図４】本発明を適用した受信装置の一実施の形態の構成を示す図である。
【図５】デコード部の構成例を示す図である。
【図６】受信装置の動作について説明するフローチャートである。
【図７】デコードのタイミングについて説明する図である。
【図８】誤差の検出について説明するフローチャートである。
【図９】デコードのタイミングについて説明する図である。
【図１０】アナログチューナ部の他の構成について説明する図である。
【図１１】デコードのタイミングについて説明する図である。
【図１２】選局にかかる時間が短縮されることを説明する図である。
【図１３】記録媒体について説明する図である。
【符号の説明】
【０１４３】
３０  受信装置，  ３１，３２  アンテナ，  ４１  操作部，  ４２  サイマル放送局記憶部，  ４３  制御部，  ４４  アナログチューナ部，  ４５  アナログ放送記憶部，  ４６  デジタルチューナ部，  ４７  デコード部，  ４８  放送時刻誤差検出部，  ４６  放送時刻誤差記憶部，  ５０  変換部
【図１】
2007215068.tif 000003
【図２】
2007215068.tif 000004
【図３】
2007215068.tif 000005
【図４】
2007215068.tif 000006
【図５】
2007215068.tif 000007
【図６】
2007215068.tif 000008
【図７】
2007215068.tif 000009
【図８】
2007215068.tif 000010
【図９】
2007215068.tif 000011
【図１０】
2007215068.tif 000012
【図１１】
2007215068.tif 000013
【図１２】
2007215068.tif 000014
【図１３】
2007215068.tif 000015